(57)【要約】【課題】  壁紙と本体とを一体的に表現でき、また、壁紙のみの不適切なコピーを防止することが可能な携帯端末装置および保護シートを提供する。【解決手段】  情報表示部１１に表示される壁紙の画像は、保護シート２０における透光領域２１以外の領域に形成された絵柄の内側領域の絵柄となっている。すなわち、スマートフォン１０における情報表示部１１に表示される壁紙の画像と、保護シート２０における透光領域２１の外周部の画像領域に形成された画像とは、一体となることにより一つの全体画像を形成する。【選択図】        図６
2013090001.tif 000002
【特許請求の範囲】
【請求項１】
携帯端末本体と、前記携帯端末本体の表面に貼着可能な保護シートとから成る携帯端末装置であって、
前記携帯端末本体は、その表面の中央部に配設された情報表示部と、前記情報表示部に表示すべき画像のデータを記憶した記憶部と、外部サーバとの間で情報を送受信する送受信部とを備え、
前記保護シートは、前記携帯端末本体における情報表示部と対応する形状の透光領域と、前記透光領域の外周部において、前記携帯端末本体における記憶部に記憶され前記情報表示部に表示される画像と一体となることにより、一つの全体画像を形成する画像領域と、を備えるとともに、
前記全体画像における主要部が、前記携帯端末本体における情報表示部に形成される画像と前記保護シートにおける画像領域に表示される画像との両方にわたって配置されることを特徴とする携帯端末装置。
【請求項２】
請求項１に記載の携帯端末装置において、
前記全体画像における主要部は、当該全体画像中の文字を含む領域である携帯端末装置。
【請求項３】
請求項１に記載の携帯端末装置において、
前記全体画像は、人物の画像を含み、
前記全体画像における主要部は、前記人物の画像における顔の部分を含む領域である携帯端末装置。
【請求項４】
請求項１から請求項３のいずれかに記載の携帯端末装置において、
前記記憶部に記憶される前記情報表示部に表示すべき画像のデータは、前記送受信部を介して外部サーバより転送される携帯端末装置。
【請求項５】
その表面の中央部に配設された情報表示部と、前記情報表示部に表示すべき画像のデータを記憶した記憶部と、外部サーバとの間で情報を送受信する送受信部とを備えた携帯端末本体の表面に貼着可能な保護シートであって、
前記携帯端末本体における情報表示部と対応する形状の透光領域と、前記透光領域の外周部において、前記携帯端末本体における記憶部に記憶され前記情報表示部に表示される画像と一体となることにより、一つの全体画像を形成する画像領域とを備えるとともに、
前記全体画像における主要部が、前記携帯端末本体における情報表示部に形成される画像と前記保護シートにおける画像領域に表示される画像との両方にわたって配置されることを特徴とする保護シート。
【発明の詳細な説明】
【技術分野】
【０００１】
この発明は、携帯端末本体と保護シートよりなる携帯端末装置、および、携帯端末本体に貼着可能な保護シートに関する。
【背景技術】
【０００２】
従来の一般的な携帯電話に対しては、そのディスプレイ部を保護する目的で、ディスプレイ部に保護シートが貼着されている。特許文献１には、透明材料からなり裏面外周縁に接着剤が塗着され、接着剤の表面に剥離シールが添着された透明表示板の保護板が開示されている。
【０００３】
一方、近年においては、携帯端末本体として、従来の一般的な携帯電話だけではなく、スマートフォンやタブレット端末も使用されている。このような、スマートフォンやタブレット端末等の携帯端末本体においては、画像やその他の情報を表示するための情報表示部(ディスプレイ部)だけではなく、情報表示部外周の操作部等をも保護するための保護シートが使用される。なお、特許文献２には、携帯電話の各部位に対応した開口部を有する保護フィルムが開示されている。
【先行技術文献】
【特許文献】
【０００４】
【特許文献１】実用新案登録第３０２５３８９号公報
【特許文献２】特表２００９−５０５６０６号公報
【発明の概要】
【発明が解決しようとする課題】
【０００５】
携帯端末本体における情報表示部を含む表面全域に保護シートを貼着する場合、装飾効果を高めるために、保護シートに装飾性を有する画像を設ける場合がある。一方、携帯端末においては、待ち受け画面や壁紙と呼称される画像（以下、これらを総称して「壁紙」という）が情報表示部に表示される。従来、これらの保護シートの画像と情報表示部に表示される画像とは、一体性のないものであった。
【０００６】
また、壁紙は、一般的に、外部サーバからインターネットを介してダウンロードするという使用方法がとられている。この場合に、著作権保護のためにダウンロードにパスワード等の制限を設けても、適法にダウンロードされたものが、ダウンロード後に違法にコピーされるという問題があった。
【０００７】
この発明は上記課題を解決するためになされたものであり、壁紙と本体とを一体的に表現でき、また、壁紙のみの不適切なコピーを防止することが可能な携帯端末装置および保護シートを提供することを目的とする。
【課題を解決するための手段】
【０００８】
請求項１に記載の発明は、携帯端末本体と、前記携帯端末本体の表面に貼着可能な保護シートとから成る携帯端末装置であって、前記携帯端末本体は、その表面の中央部に配設された情報表示部と、前記情報表示部に表示すべき画像のデータを記憶した記憶部と、外部サーバとの間で情報を送受信する送受信部とを備え、前記保護シートは、前記携帯端末本体における情報表示部と対応する形状の透光領域と、前記透光領域の外周部において、前記携帯端末本体における記憶部に記憶され前記情報表示部に表示される画像と一体となることにより、一つの全体画像を形成する画像領域と、を備えるとともに、前記全体画像における主要部が、前記携帯端末本体における情報表示部に形成される画像と前記保護シートにおける画像領域に表示される画像との両方にわたって配置されることを特徴とする。
【０００９】
請求項２に記載の発明は、請求項１に記載の発明において、前記全体画像における主要部は、当該全体画像中の文字を含む領域である。
【００１０】
請求項３に記載の発明は、請求項１に記載の発明において、前記全体画像は、人物の画像を含み、前記全体画像における主要部は、前記人物の画像における顔の部分を含む領域である。
【００１１】
請求項４に記載の発明は、請求項１から請求項３のいずれかに記載の発明において、前記記憶部に記憶される前記情報表示部に表示すべき画像のデータは、前記送受信部を介して外部サーバより転送される。
【００１２】
請求項５に記載の発明は、その表面の中央部に配設された情報表示部と、前記情報表示部に表示すべき画像のデータを記憶した記憶部と、外部サーバとの間で情報を送受信する送受信部とを備えた携帯端末本体の表面に貼着可能な保護シートであって、前記携帯端末本体における情報表示部と対応する形状の透光領域と、前記透光領域の外周部において、前記携帯端末本体における記憶部に記憶され前記情報表示部に表示される画像と一体となることにより、一つの全体画像を形成する画像領域とを備えるとともに、前記全体画像における主要部が、前記携帯端末本体における情報表示部に形成される画像と前記保護シートにおける画像領域に表示される画像との両方にわたって配置されることを特徴とする。
【発明の効果】
【００１３】
請求項１乃至請求項５に記載の発明によれば、携帯端末本体における記憶部に記憶され情報表示部に表示される画像と、保護シートにおける透光領域の外周部の画像領域とにより、一つの全体画像を形成することができる。このため、携帯端末の表面全域において画像を表現することが可能となる。このとき、この全体画像における主要部が、携帯端末本体における情報表示部に形成される画像と前記保護シートにおける画像領域に表示される画像との両方にわたって配置されることから、データのコピーにより情報表示部に表示される画像のみを取得したとしても、その使用価値がないことから、壁紙のみの不適切なコピーを防止することが可能となる。
【図面の簡単な説明】
【００１４】
【図１】この発明に係る保護シート２０の斜視図である。
【図２】スマートフォン１０の斜視図である。
【図３】この発明に係る保護シート２０の断面を模式的に示す説明図である。
【図４】スマートフォン１０等の制御系を示すブロック図である。
【図５】情報表示部１１に表示される壁紙の画像の正面図である。
【図６】スマートフォン１０に保護シート２０を貼着した状態でスマートフォン１０の情報表示部１１に壁紙の画像を表示した状態を示す斜視図である。
【発明を実施するための形態】
【００１５】
以下、この発明の実施の形態を図面に基づいて説明する。図１は、この発明に係る保護シート２０の斜視図である。また、図２はスマートフォン１０の斜視図である。
【００１６】
この発明に係る携帯端末装置は、携帯端末本体であるスマートフォン１０と、このスマートフォン１０の表面全面に貼着される保護シート２０とから構成される。
【００１７】
スマートフォン１０は、液晶表示パネルから構成され、ディスプレイ等と呼称される情報表示部１１と、スピーカ部１２と、操作部１３とを備える。また、保護シート２０は、スマートフォン１０における情報表示部１１と対応する形状を有する透光領域２１と、スピーカ部１２と対応する形状の開口部２２と、操作部１３と対応する形状の開口部２３とを備える。保護シート２０における透光領域２１の外周部の領域は、絵柄が印刷された画像領域となっている。
【００１８】
図３は、この発明に係る保護シート２０の断面を模式的に示す説明図である。
【００１９】
この保護シート２０は、透明なベースフィルム２８の一方の面にインクから成る画像層２７が形成されるとともに、他方の面に貼着層２９が形成された構成を有する。
【００２０】
ここで、画像層２７は、例えば、インクジェットプリンタにより白色のインクを塗布した後に絵柄に相当するインクを塗布することにより形成される。なお、画像層２７の表面に保護フィルム層を付設してもよい。また、インクジェット方式によりインクを塗布するかわりに、オフセット印刷等の印刷方式により画像層２７を形成してもよい。さらには、ベースフィルム２８と貼着層２９との間に、画像層２７を形成するようにしてもよい。
【００２１】
また、貼着層２９は、保護シート２０をスマートフォン１０の表面に着脱自在な状態で貼着するためのものである。この貼着層２９は、例えば、保護シート２０の貼着層２９の表面とスマートフォン１０の表面との間の空気を排除して両者を真空密着させる構成を有する。なお、貼着層２９として、複数回剥離可能な接着層を使用してもよい。
【００２２】
図４は、スマートフォン１０等の制御系を示すブロック図である。
【００２３】
スマートフォン１０は、装置全体を制御する制御部３２を備える。この制御部３２は、上述した情報表示部１１と、画像のデータやその他のデータを記憶する記憶部３３とに接続されている。また、この制御部３２は、送受信部３４を介してインターネット３５と通信可能となっており、インターネット３５を介して外部サーバ３６との間で情報を送受信する構成となっている。
【００２４】
図５は、スマートフォン１０の情報表示部１１に表示される壁紙の画像の正面図である。また、図６は、スマートフォン１０に保護シート２０を貼着した状態でスマートフォン１０の情報表示部１１に壁紙の画像を表示した状態を示す斜視図である。
【００２５】
図６に示すように、情報表示部１１に表示される壁紙の画像は、図１に示す保護シート２０における透光領域２１以外の領域に形成された絵柄の内側領域の絵柄となっている。すなわち、スマートフォン１０における情報表示部１１に表示される壁紙の画像と、保護シート２０における透光領域２１の外周部の画像領域に形成された画像とは、一体となることにより一つの全体画像を形成する。
【００２６】
このため、情報表示部１１に表示される壁紙の画像と、保護シート２０における画像領域の画像とにより、携帯端末の表面全域において画像を表現することが可能となる。したがって、画像の表示態様を豊かなものとすることが可能となる。
【００２７】
ここで、スマートフォン１０における情報表示部１１に表示される壁紙の画像と保護シート２０における透光領域２１の外周部の画像領域に形成された画像とにより構成される一体画像は、人物の画像と、その人物を表す文字とから構成される。そして、人物の画像における顔の部分は、スマートフォン１０における情報表示部１１に表示される壁紙の画像と、保護シート２０における透光領域２１の外周部の画像領域に形成された画像との両方にわたって配置される。また、同様に、文字の部分も、スマートフォン１０における情報表示部１１に表示される壁紙の画像と、保護シート２０における透光領域２１の外周部の画像領域に形成された画像との両方にわたって配置される。
【００２８】
スマートフォン１０における情報表示部１１に表示される壁紙の画像は、図４に示す記憶部３３に記憶されている。この画像のデータは、スマートフォン１０をインターネット３５を介して外部サーバ３６に接続し、この外部サーバ３６から画像データをダウンロードすることにより入手される。この時、ダウンロード時にパスワードを要求する等により、適法なダウンロードが行われるように設定をしたとしても、ダウンロード後に画像のデータがコピーして使用される場合がある。
【００２９】
しかしながら、この発明においては、スマートフォン１０における情報表示部１１に表示される壁紙の画像と保護シート２０における透光領域２１の外周部の画像領域に形成された画像とにより構成される一体画像は、その主要部である文字を含む領域、あるいは、顔の部分を含む領域が、スマートフォン１０における情報表示部１１に表示される壁紙の画像と、保護シート２０における透光領域２１の外周部の画像領域に形成された画像との両方にわたって配置されている。このため、壁紙の画像のみをコピーしたとしても利用価値が低く、保護シート２０とセットでなければ有効な利用はできない。従って、壁紙の利用を実質的に保護シート２０の購入者に限定することができ、不法なコピーによる使用を防止することが可能となる。
【００３０】
なお、上述した実施形態においては、この発明をスマートフォン１０に適用した場合について説明したが、この発明をタブレット端末やその他の携帯型パソコン等の他の携帯端末に適用してもよい。また、情報表示部１１に表示される壁紙の画像のデータは、インターネット３５を介して外部サーバ３６からダウンロードするだけではなく、ＳＤカードやＵＳＢメモリにより入手するようにしてもよい。
【符号の説明】
【００３１】
１０      スマートフォン
１１      情報表示部
１２      スピーカ部
１３      操作部
２０      保護シート
２１      透光領域
２２      開口部
２３      開口部
２７      画像層
２８      ベースフィルム
２９      貼着層
３２      制御部
３３      記憶部
３４      送受信部
３５      インターネット
３６      外部サーバ
【図１】
2013090001.tif 000003
【図２】
2013090001.tif 000004
【図３】
2013090001.tif 000005
【図４】
2013090001.tif 000006
【図５】
2013090001.tif 000007
【図６】
2013090001.tif 000008